(57)【要約】品物を安全に識別するための安全タグは、ハウジング（１）と、前記ハウジングを前記品物に固定するための固定機構（６）と、タグの状態を監視するための監視システム（２０，２４）であって、前記タグの状態が少なくとも、前記ハウジングと前記固定機構とが接触されたかどうかを指示する、監視システム（２０，２４）と、品物データを貯蔵するための貯蔵部（２２）であって、前記品物データは前記品物を識別する貯蔵部（２２）と、前記タグの状態と前記品物データとを、遠隔のホストに通信するように適応される通信システム（２１）とを具備する。
2004515016.tif 000002
【特許請求の範囲】
【請求項１】
品物を安全に識別するための安全タグにおいて、この安全タグは、
ハウジングと、
前記ハウジングを前記品物に固定するための固定機構と、
タグの状態を監視するための監視システムであって、前記タグの状態が少なくとも、前記ハウジングと前記固定機構とが人により接触されたかどうかを指示する、監視システムと、
品物データを貯蔵するための貯蔵部であって、前記品物データは前記品物を識別する貯蔵部と、
前記タグの状態と前記品物データとを、遠隔のホストに通信するように適応される通信システムと、
を具備する安全タグ。
【請求項２】
前記ハウジング上又は内に設置された電力供給を更に具備する請求項１に記載の安全タグ。
【請求項３】
前記ハウジングは、少なくとも一つの導電性部分を具備しており、
前記監視システムは前記導電性部分の電気特性を監視して、それにより前記ハウジングの完全性を判定するように適応される、
請求項１又は２のいずれかに記載の安全タグ。
【請求項４】
前記ハウジングは、圧電性材料を具備しており、
前記監視システムは、前記圧電性材料を横切る電位を監視して、前記ハウジングの完全性を判定するように適応される
請求項１から３のいずれか一項に記載の安全タグ。
【請求項５】
前記固定機構は、前記ハウジングを前記品物に固定するための導電性部材を具備しており、
前記監視システムは、前記導電性部材の電気特性を監視してそれにより前記固定機構の完全性を判定するように適応される、機構検知器を具備する
請求項１から４のいずれか一項に記載の安全タグ。
【請求項６】
前記固定機構は、圧電性材料を具備しており、
前記監視システムは、前記圧電性材料を横切る電位を監視して前記固定機構の完全性を判定するように適応される、機構検知器を具備する
請求項１から５のいずれか一項に記載の安全タグ。
【請求項７】
前記固定機構は、
前記ハウジング上の台の対応する開口内に押し込み可能な一対のアームを有するクランプ部材と、
前記クランプが前記台から取り外されることを防止するためのロックシステムと、
を具備する請求項１から６のいずれか一項に記載の安全タグ。
【請求項８】
前記固定機構は、
例えば、品物の部分又はそれらの間に挟まれる前記品物のための容器等により、前記ハウジングが接続される例えば板等の導電性部材を具備しており、
伝送ラインの前記導電性部材形成部分のインピーダンスは監視可能である
請求項１から６のいずれか一項に記載の安全タグ。
【請求項９】
前記ハウジングは、ゴムと強化プラスティックの薄板等の耐接触性の材料により形成される請求項１から８のいずれか一項に記載の安全タグ。
【請求項１０】
前記ハウジングは少なくとも前記貯蔵部を保護するためのファラデーケージを具備する請求項１から９のいずれか一項に記載の安全タグ。
【請求項１１】
前記通信システムは、無線式、赤外線式、誘導式、又は電磁式通信システムの内の１つを具備する請求項１から１０のいずれか一項に記載の安全タグ。
【請求項１２】
前記通信システムは、前記タグの状態及び／又は前記品物データを、前記遠隔ホストに伝送する前に、暗号化するように適応される請求項１から１１のいずれか一項に記載の安全タグ。
【請求項１３】
前記通信システムは、
前もって決められた時間間隔における状態、または
前記遠隔ホストからの要求における状態、又は
前記安全タグ及び／又は前記品物が接触されたことを指示するタグの状態における変化における状態、
の少なくとも一つにおいて前記遠隔ホストと通信するように適応される請求項１から１２のいずれか一項に記載の安全タグ。
【請求項１４】
前記監視システムは、前記タグの位置を検知するための位置検知器を具備しており、
前記タグの状態は前記タグの位置の指示を含む
請求項１から１３のいずれか一項に記載の安全タグ。
【請求項１５】
前記監視システムは、前記品物の完全性を検知するための品物検知器を具備する請求項１から１４のいずれか一項に記載の安全タグ。
【請求項１６】
導電性囲いに取り付けられる安全タグであって、
前記品物検知器は、前記導電性囲いの電気特性を監視して、それにより前記囲いの完全性を判定するように適応される
請求項１５に記載の安全タグ。
【請求項１７】
品物を安全に識別し且つ監視する方法において、この方法は、
ａ．　前記請求項１から１６のいずれか一項に従う安全タグを前記品物に取り付ける手順と、
ｂ．　前記品物を識別する品物データを前記貯蔵部に貯蔵する手順と、
ｃ．　前記タグの状態及び／又は前記品物データを、遠隔ホストから前記通信システムを介して、監視する手順と、
を具備する方法。
【請求項１８】
前記品物を取り付ける手順（前記手順（ａ））は、
前記品物を安全容器に設置する手順と、
前記安全タグを前記安全容器に接続する手順と、
を更に具備する請求項１７に記載の方法。
【請求項１９】
前記監視システムは、前記安全容器の電気特性を監視するように適応されており、
前記方法は、前記監視システムを前記安全容器に電気的に接続する手順を更に具備する請求項１８に記載の方法。
【請求項２０】
遠隔ホストからの前記タグの状態及び／又は前記品物データを監視する方法は、前記通信システムを前記遠隔ホストシステムと通信させており、
それは、
前記通信システムが、
前もって決められた時間間隔における状態、または
前記遠隔ホストシステムからの要求における状態、または
前記安全タグ及び／又は前記品物が接触されたことを指示するタグの状態における変化における状態、
の少なくとも一つにおいて前記通信システムを前記遠隔ホストシステムと通信させる手順を具備する請求項１７から１９のいずれか一項に記載の方法。
【請求項２１】
前記方法は、前記安全タグの位置を監視する手順を更に具備する請求項１７から２０のいずれか一項に記載の方法。
【請求項２２】
品物の所有権を移動する方法において、この方法は、
ａ．　安全タグを前記品物に取り付けることにより前記品物を安全に識別する識別手順であって、前記安全タグは前記タグの状態を監視するための監視システムを有しており、前記タグの状態は、前記安全タグ及び／又は前記品物が接触されたかどうかを指示する、識別手順と、
ｂ．　前記監視システムの状態を遠隔で検知する手順と、
ｃ．　前記監視システムが接触される状態を指示しない場合に、前記品物の所有権の変更を、前記遠隔ホストに登録させる手順と、
を具備する方法。
【請求項２３】
前記品物は、前記手順（ｃ）の登録させる手順において、所有者間で物理的に移動されない請求項２２に記載の方法。
【請求項２４】
前記安全タグは請求項１から１６のいずれか一項に従う請求項２２または２３のいずれかに記載の方法。
【請求項２５】
前記品物は紙幣及び／又は硬貨等の価値のある物品を具備する請求項２２から２４のいずれか一項に記載の方法。
【請求項２６】
前記品物は、前記安全タグが取り付けられる容器内に安全に設置される請求項２５に記載の方法。
【請求項２７】
前記安全タグは紙幣の積層周りに設置される包みに取り付けられる請求項２５に記載の方法。
【発明の詳細な説明】
【０００１】
本発明は、品目を安全に識別するための安全タグ（荷札）に係わり、更にはその様なタグを使用するための方法に関する。
【０００２】
安全タグは、商品特には衣服等、の品物に一般的に使用されており、その様な品物の許可されない除去を防止する。これらのタグは品目に通常安全に接続されており、検査（ｉｎｔｅｒｒｏｇａｔｉｏｎ）システム（装置）は、小売店等への出口に設置されており、それはタグの通過を検知して警報を発することが出来る。タグはまた、品物又は品目を所定の位置に安全にすること、及びもしそのタグ又は品物が分離された状態になった場合に表示を提供することが知られている。
【０００３】
種々の安全タグシステム（装置）が従来技術において開示されている。ＷＯ−Ａ−００／１６２８４は、キーがつなぎ鎖（ｔｅｔｈｅｒ）を介して安全に取り付け可能なカードを開示しており、その場合そのつなぎ鎖は導電性であるので、前記カードが別個の監視システムに固定される場合に、その状態を監視可能である。これとは別の実施の形態において、前記カードは、導電性の線（ワイア）を有するフレキシブルなバッグに取り付けられており、前記線の状態は、バッグ内に侵入する試みを検知可能なように監視可能である。このデバイスの欠点は、前記監視システム（装置）への永久的な取り付けを必要とすることである。
【０００４】
ＵＳ−Ａ−６００２３４３は電子タグを開示しており、その電子タグは抵抗のある要素を介して対象に貼り付け可能であり、その抵抗のある要素の電気抵抗は、抵抗のある要素が危うくされたことをもし監視が指摘する場合には、情報が別個の検知システムに伝達される状態で、内蔵の（オンボード）処理装置（プロセッサ）により監視される。これは、上記のものに比べてよりフレキシブルなシステムを形成するが、しかしタグ自体を攻撃する複雑な攻撃者が実施する可能性のある攻撃を処理するものではない。
【０００５】
ＵＳ−Ａ−５３６７２８９は電子物品監視タグを開示しており、その電子物品監視タグは、衣服品等に一般的に接続されており、圧電式フィルムを具備しており、その圧電性フィルムは、機械的力が作用した場合に、電圧を発生する。前記タグは、もし電圧が基準を超えた場合に作動する警報を具備する。このデバイスは物品からタグを分離する試みを検知するために開発されているが、しかし実際にはタグへの力の適用を調査することによりこれを実現する。前記タグは、物品への接続部を慎重に分離することにより、警報を作動させないで物品から分離可能である。
【０００６】
ＧＢ−Ａ−２２５７２７８は、タグとホストコンピュータとの間でデータ通信を可能にする超小型回路を具備する窃盗防止タグを開示する。接触 （ｔａｍｐｅｒ）されたことの検知のある形の簡単な言及があるが、タグの主目的は貯蔵場所を監視可能にすることである。
【０００７】
ＵＳ−Ａ−５０９９２２８は、タック（びょう）により商品の品目に取り付け可能であって該タックの頭部の存在を検知するためのセンサを具備する、安全タグを開示する。前記タックにより、接触（タンパー）の試みは従って検知される。
【０００８】
ＵＳ−Ａ−５９５５９５１はこれとは別のタイプのタグ／タック配置を開示する。
【０００９】
ＷＯ−Ａ−９８／１５９２１は輸送ターミナルにおける使用のための安全システムを開示しており、そのシステムは、メモリ（記憶装置）と無線通信デバイスとを具備する電子旅客タグを具備しており、前記メモリは、耐接触（タンパー）性の状態で、比類のない旅客識別コード（記号）を記憶する。そして電子言語タグは、有線（ワイア）式メモリと、無線通信デバイスとを有する。この様にして、タグはお互いを比類のなく登録可能である。
【００１０】
ＵＳ−Ａ−６０５２０６８は、一式の識別タグを具備する車両識別システムを開示しており、その識別タグは、車両に取り付けられており、車両の識別を判定可能な検査装置と通信する。
【００１１】
その様な安全タグを改善する必要性が存在しており、本明細書において、その様な安全タグのための使用の新規な方法に順に導く、新規なタグの開発を開示する。
【００１２】
本発明の第１の形態に従い、品物を安全に識別するための安全タグが提供されており、前記安全タグは、
ａ．　ハウジングと、
ｂ．　前記ハウジングを前記品物に固定するための固定機構と、
ｃ．　タグの状態を監視するための監視システム（装置）であって、前記タグの状態が少なくとも、前記ハウジングと前記固定機構とが接触（タンパー）されたかどうかを指示する、監視システム（装置）と、
ｄ．　品物データを貯蔵するための貯蔵部（ストア）であって、前記品物データは前記品物を識別する貯蔵部と、
ｅ．　前記タグの状態と前記品物データとを、遠隔のホストに通信するように適応される通信システム（装置）と、
を具備する。
【００１３】
本発明の第２の形態に従い、品物を安全に識別し且つ監視する方法が提供されており、前記方法は、
ａ．　前記本発明の第１の形態に従う安全タグを前記品物に取り付ける手順、
を具備しており、
前記安全タグは、
ｂ．　前記品物を識別する品物データを前記貯蔵部に貯蔵する手順と、
ｃ．　前記タグの状態及び／又は前記品物データを、遠隔のホストから前記通信システムを介して、監視する手順と、
を有する。
【００１４】
従来技術の各安全タグは、多数の欠点の内の一以上のものにより問題があることを我々は認識しており、これらの欠点の全てを克服する新規な安全タグを考案した。特別には、前記タグは内蔵式（オンボード）監視システムを具備しており、それにより接触（タンパー）は、前記タグが遠隔のホストにより検査される場合だけではなく、即座に検知される。更に加えて、前記監視システムは、それにより前記タグが品物に固定される前記固定機構を監視するだけではなく、更にはハウジング自体の状態も監視する。従って、前記タグに関係する全てのタイプの接触（タンパー）は、従来技術とは対照的に、検知可能である。
【００１５】
加えて、物品又は物品を囲む容器が適切である場合、品物又は容器の接触（タンパー）もまた監視可能である。
タグは、例えば主供給源から長距離通信を可能にするタグに接続されるＧＳＭ／衛星モジュールへ、遠隔的に電力（パワー）供給可能であるが、しかし好適な実施の形態においてタグは、内蔵式（オンボード）電力（パワー）供給を具備する。これは、内蔵式監視システムを有することの別の利点を提供しており、その内蔵式監視システムにおいては、電力供給からの電力の使用は出来る限り少なくできる。加えて任意の外部接続部は、そのシステムを破ろうと試みる任意の人のためのアクセス（侵入）ポイントを提供可能である。製造時に閉鎖される場合にタグは、保守又は攻撃がない限り再度開けられることはない。それを十分に閉鎖することは、システムを任意の攻撃に対してより以上に抵抗力のあるものにし、タグの内部構成要素への任意の直接的電気的接続を取り除く。
【００１６】
使用において、もし監視システムが接触を検知した場合には、それは通信システムを介して遠隔ホストとの通信を開始可能であるが、一般的にこれはタグの状態、即ち関係する品物を識別する品物データと同様に、それが接触されたという事実、に関する情報を含む。内蔵式監視システムの具備は、非常に早期の段階において接触（タンパー）されたことが検知されることを可能にし、更にそれを遠隔ホストに伝えることを可能にし、従って可能な限り早期に補償作業を実施可能にする。これにより安全タグは、例えば硬貨及び紙幣を含む価値のある物品等の、高価値物品に関する使用に特に適する。
【００１７】
ハウジングの状態の監視は、安全タグに接触する試みの早期の指示を可能にし、それは遠隔ホストへ通信可能である。これはまた、窃盗によりタグが損傷されることを防止して、遠隔ホストが物品が盗まれたことを検知することを中止させる。１つの例において、ハウジングは、導電性部分を具備可能であり、その場合において、監視システムは導電性部分の電気特性を監視して、それによりハウジングの完全性を決定するように適応される。従って例えばもし、誰かが安全タグの内部機能を破壊しようとして、ハウジングに穴を開けた場合に、導電性部分の、例えばインピーダンス等の電気特性における変化が生じ、それ（変化）はハウジング検知器により検知可能である。
【００１８】
これとは別の例においてハウジングは、圧電性材料を具備しており、監視システムは圧電性材料を横切る電位（電気的ポテンシャル）を監視して、ハウジングの完全性を決定するように適応される。やはりもし、誰かがハウジングに干渉するように試みた場合には、これは一般的に振動を発生し、その振動は順に圧電性材料により電位を発生させる。この電位は監視システムにより検知可能であるので、再度ハウジングへの接触は検知される。
【００１９】
監視システムは品物の完全性を検知するための品物検知器を具備することが好ましい。これはしかし、もし安全タグが安全等の安全容器に取り付けられる場合には、要求されなくても良い。
【００２０】
一般的に品物は、導電性収容器内に収容されており、その場合には品物検知器は、導電性収容器の電気特性を監視して、品物の完全性を判定するように適応される。この場合において現金（硬貨及び／又は紙幣）は、例えば、ワイアがバッグ繊維と共に相互に編み込まれたバッグ内に設置可能である。バッグの導電性はその場合、もし中身を抜き出すためにバッグに穴を開ける試みが実施された場合には、変化する。従ってこれにより、安全タグはバッグから物品を取る任意の試みを検知可能である。
【００２１】
固定機構は、ハウジングを物品に固定するための導電性部材を具備することが好ましい。この場合において監視システムは、導電性部材の電気特性を監視して、それにより固定機構の完全性を判定するように適応される機構検知器を具備する。
【００２２】
固定機構は圧電性材料を具備可能である。この場合において監視システムは、圧電性材料を横切る電位を監視して、固定機構の完全性を判定するように適応される機構検知器を具備しても良い。
【００２３】
別のオプションとして、固定機構は精密（ファイン）ワイアフィルムを具備可能であり、そのフィルムの特性は該フィルムに適用されたＲＦ（高周波）場を使用する監視システムにより監視可能である。
固定機構は通常、物品の表示に関係可能である識別マークを具備する。これにより、安全性の追加が提供可能である。
【００２４】
ハウジングは通常、強化プラスティックとゴムの薄板等の耐接触（タンパー）性材料により形成されるが、これは接触（タンパー）することが極度に困難であるからである。しかし別の高強度の耐衝撃性材料もまた使用可能である。
【００２５】
これに加えてハウジングは通常、少なくとも貯蔵及び任意の別の繊細な電子部品を保護する金属製のかごを具備する。金属製のかごは、タグに内蔵される任意の繊細な部品を、ＥＭＰ（電磁パルス）の攻撃から防御するためにファラデーケージとして作用する。
【００２６】
通信システムは、無線式、赤外線式、誘導式又は磁気式通信システム等の多数の通信システムの内の任意の１つであっても良い。従って例えば、通信システムは、ブルートゥース（Ｂｌｕｅｔｏｏｔｈ）式無線システムを具備しても良い。これとは別に、誘導性ループカップリングが、安全タグが読取器（リーダー）の近傍に近づいた場合に、タグの状態及び幾つかのデータが誘導性ループを介して貯蔵部（ｓｔｏｒｅ）から読み取り可能であるように具備されても良い。
【００２７】
一般的に通信システムは、例えばＰＫＩ暗号システムを使用して、遠隔ホストに伝送する前に、タグの状態及び／又は物品データを暗号化するように適応される。これにより、第３者が彼ら自身のタグの状態及び物品データを生成して本物のタグのタグの状態を隠すことを防止する。
【００２８】
前記通信システムは、以下の状態の少なくとも一つにおいて遠隔ホストコンピュータと通信するように適応されることが好ましい。
ｉ）　前もって決められた時間間隔において
ｉｉ）　遠隔ホストコンピュータからの要求により、又は
ｉｉｉ）　安全タグ及び／又は物品が接触（タンパー）されたことを指示するタグの状態における変化において
【００２９】
例えばそれが前もって決められた位置に到達するときは常に、又は上記の状態（ｉ−ｉｉｉ）の内ただ１つのタイプにおいて、通信システムが遠隔ホストに通信することを可能にする等の、多くの別のオプションが適用可能であることが認識される。
【００３０】
好適には従って、安全タグは、タグの位置を検知するための位置検知器を具備しており、タグの状態はタグ位置の指示を具備する。これにより、タグの位置は、品物が移動させられる際に、追跡可能である。
【００３１】
現在は、もし１つの団体から別へ品物の所有権を譲渡することが望まれる場合に、品物を譲渡者から被譲渡者へ実際に物理的に移動することが必要である。このプロセスは、特にもし品物が、例えば紙幣等の高価な価値を有する場合には、リスクが生じ得る。一般的にこれらの状況において、品物は錠付きの容器内に確保されており、その容器はその後安全な状態の下で警備会社等により移動される。
【００３２】
その様なシステムの安全性を向上するために、警備会社は一般的に、品物が前もって決められた時間間隔の間前記容器から取り出すことが出来ないことを保証する時間式ロック（錠）を使用する。これは、例えば、運転者が所望の目的地に到達する時間に対応する時間において、前もって決められた地点においてのみ前記容器が移動可能な方法で、安全バン（ワゴン車）内に容器を閉じこめることにより実現される。
【００３３】
これに加えて、前記バン及び容器の位置を追跡することが可能であるので、前記容器更には従って品物の現在位置は監視可能である。
【００３４】
しかしその様なシステムは、品物が輸送中に盗まれることがまだ可能であるという欠点による問題を有する。従って例えば、容器はバンから力ずくで移動可能であるか、又はこれとは別にバンが盗まれることが可能であり、容器は正しい時間において異なる場所に移動される。バン内の容器の位置は追跡可能であるが、しかし品物を容器から、これが検知されないで、移動され、それにより品物が盗まれることがまだ可能である。
【００３５】
本発明の第３の形態に従い、品物の所有権を移動する方法は、
ａ．　安全タグを前記品物に取り付けることにより前記品物を確実に識別する識別手順であって、前記安全タグは前記タグの状態を監視するための監視システムを有しており、前記タグの状態は、前記安全タグ及び／又は前記品物が接触（タンパー）されたかどうかを指示する、識別手順と、
ｂ．　前記監視システムの状態を遠隔で検知する手順と、
ｃ．　前記監視システムが接触（タンパー）の状態を指示しない場合に、品物の所有権の変更を、遠隔ホストに登録させる手順と、
を具備する。
【００３６】
本発明の第３の形態は、一旦品物が確保されていれば、例え品物が移動されなくても、品物の所有権が移動可能であることを認める。加えて、品物がより安全性が低い条件の下でも保持可能である。
【００３７】
従って例えば、店の所有者が店で得た金を適当な容器に入れ、その後上記のように安全タグを取り付けても良い。この時点において容器内の現金は安全に識別される。容器の中身の所有権はその後、遠隔ホストにおいて所有権の変更を記録することにより、店の所有者の銀行等へ移動可能である。この時点から、金は該金に関して責任を有する銀行により有効に所有される。しかし前記容器は同じ場所に物理的に留まる。
【００３８】
任意の段階において物品又はタグが接触（タンパー）された場合に、これの表示は、中央制御センタ等の遠隔ホストに伝達可能であり、前記中央制御センタは安全性に問題があることを認識可能である。これは、物品の現状の十分な追跡機能を所有者に提供するので、所有者は物品が安全に輸送されていることを確信できる。
【００３９】
金の所有権が移動された場合直ぐに、金は店の所有者の銀行の勘定に記入可能であり、店の所有者が構内にまだ保有する金に関する勘定の処理を実施可能にすることが認識される。これは、銀行が常時金の正確な場所と安全性を計算できるからである。
【００４０】
店の所有者がその後、銀行から現金を要求する場合に、店の所有者は金の所有権を戻すように単に処理可能であり、店の所有者が銀行の指導に従い容器から現金を回収することが可能である。従って、現金はある期間銀行により所有されている一方で、それは店の構内から離れることはない。これは従って、品物自体が移動する必要なしで、そのことは順に安全性のリスクの軽減を補助する状態で、品物の所有権を移動可能にする。
【００４１】
前記方法は従来の安全タグにより使用可能であるが、しかしそれ（方法）は、高い安全性の観点において、本発明の第１の形態による安全タグによる使用に特に適しており、その高い安全性はこれらのタグにより実現可能である。本発明の第３の形態は、紙幣又は硬貨等の価値のある品物又は証書による使用に特に適している。
本発明の例は添付図を参照して以下で説明される。
【００４２】
図１と２は本発明による安全タグを示す。図示されるように安全タグは、取り付けられた設置（台）パッド２を有するハウジング１を具備する。ハウジング１は、ホログラム又はキネグラム（ｋｉｎｅｇｒａｍ）等の安全デバイスを有しても良い。ハウジング１の周辺周りのそれぞれの位置に、４つの１回限りの固定具３、例えばリベット等、が具備されており、その固定具３はハウジング１を台板４に取り付けるだけの１回の機会に使用可能である。図示されるように、取り付け部材又はクランプ６を受容するように適応される、台５がやはりハウジング１に取り付けられる。
【００４３】
前記台は図３ａと３ｂにより詳細に示される。図３ａは図２に示される線Ａ−Ａ‘に沿った台の断面を示しており、その一方で図３ｂは図１に示される線Ｂ−Ｂ’に沿った台５の断面を示す。該台は２つの溝（チャンネル）７ａ，７ｂを具備しており、該各溝は取り付け部材６のそれぞれのアーム６ａ，６ｂを収容するように設計される。各溝７ａ，７ｂは、多数のバネ８を具備しており、該バネ８はそれぞれの溝の上側部に対して取り付け部材６のアーム６ａ，６ｂを押しつけるように設計される。該バネの形状は、アーム６ａ，６ｂが矢印９で示される方向において、単に溝を通り移動可能であるようなものである。
【００４４】
従って、使用において取り付け部材６は、矢印９により示される方向で台５内に挿入されても良い。しかし、取り付け部材６を逆の方向において引き抜くことは不可能である。従って取り付け部材６は、取り付け部材を物理的に破壊してそれぞれの溝７ａ，７ｂを介して各アーム６ａ，６ｂを独立に引くことにより、台５から取り外すことのみ可能である。結果として、取り付け部材６は、より詳細が下記で説明されるように、ハウジングを織物（ｆａｂｒｉｃ）タイプの対象に取り付けるように使用可能である。
【００４５】
ハウジングの内部の断面図は図４に示される。図示されるようにハウジングは、ゴムと高強度の強化プラスティックの薄板とから形成された頑丈な反接触（アンチタンパー）性の薄膜層１０により形成されており、それ（薄膜層１０）は過酷な攻撃条件の下でさえも該安全タグの内部構成要素を保護する十分な耐衝撃性を提供する。
【００４６】
プリント回路基板（ＰＣＢ）１１がハウジング１内に配置されており、該基板にはタグを作動させるのに必要な電子部品が設置される。ＰＣＢ１１は一般的に、スポンジ又はゴム等の衝撃吸収材料１２の層に設置されて、より高い耐衝撃性を提供する。この例において圧電性フィルム１３は、薄膜層１０の内側に配置されており、更に保護フィルム１４が圧電性フィルム１３と衝撃吸収材料１２との間に配置される。
【００４７】
導電性外部高分子弾性体（エラストマー）被覆がまた、点線１５により示されるように、薄膜層１０の外側に具備されても良い。
結局、ＰＣＢ１１の一部分はまた、金属製カン（缶）１６内に収容可能であり、その金属製カン１６はＰＣＢ上の電子部品をＥＭＰの攻撃から保護するファラデーケージとして作用する。この場合に、正しく機能させるために、センサが一般的に、金属製カン１６の外側でＰＣＢ１１上に設置されなければならないことが認識されなければならない。従って、サージ（変動）阻止デバイスがこれらの外部センサに取り付けられる。
【００４８】
ハウジング１内のＰＣＢ１１に搭載された部品の配置を示す系統図が図５に示される。図示されるように安全タグは一般的に、マイクロプロセッサ２０と、無線トランシーバ（送受信機）２１と、バス（母線）２３を介して共に接続する貯蔵部２２とを具備する。多数のセンサ２４がまたバス２３に接続される。これらの部品は内蔵式（ｏｎ−ｂｏａｒｄ）電力供給２７から全て電力供給される。
【００４９】
この例において５つのセンサ２４が示されるが、以下の記述から分かるように、より多くのセンサがある状況において必要とされる。各これらのセンサは検知（センサ）システムの部分を形成しており、その検知システムは安全タグと、該安全タグが取り付けられる品物の状態を監視するように使用される。
【００５０】
センサにより検知される信号はプロセッサ２０に伝送されており、前記プロセッサ２０は信号を監視して、安全タグ及び／又は品物が接触（タンパー）されていることをこれらの信号が指示した時を判定するように適応される。計測の感度は、プロセッサ２０が通常の取り扱いを接触（タンパー）であると判定することを防止するレベルに設定されるが、安全タグ、品物等が損傷してしまう前に接触（タンパー）を検知可能な十分低いレベルに設定される。これは以下の２つの方法の内の１つにより実施される。
ｉ．　信号の分析により、又は
ｉｉ．　前もって決められた閾値と信号との比較により、
【００５１】
第１の例においてプロセッサは、ニューラルネット（神経回路網）により形成可能である。この場合においてそのニューラルネットは通常の作動環境下で調整される（ｔｒａｉｎｅｄ）ので、安全タグ及び品物が正しく取り扱われている場合に、信号がセンサ２４から獲得するべきものを、それは学習する。結果として、予期される範囲外の信号が検知される場合には、プロセッサは、安全タグ又は品物のいずれかが接触（タンパー）されていると判定する。
【００５２】
第２の例において、各センサ２４から獲得されるべき許容可能な信号の範囲の指示は、メモリ２２に記憶される。従ってプロセッサ２０は、獲得された信号を許容可能な信号のそれぞれの範囲と比較可能であり、更にこれから、品物又は安全タグが接触（タンパー）されているかどうかを判定可能である。
【００５３】
任意の接触（タンパー）が検知された場合に、プロセッサ２０は、信号をトランシーバ２１を介して、安全タグ又は品物が攻撃されていることを指示する遠隔監視システム２６へ送信するように適応されており、それは以下においてより詳細に説明される。
【００５４】
使用において安全タグは、非常に多数の異なる安全形態を具備しており、その安全形態は環境に応じて別個に又は共に組み合わされて使用されても良い。安全形態は図６と７を参照して以下で説明される。
【００５５】
図６は、安全タグがシールされた容器３０に接続される方法を示す。図示されるように安全タグは、設置パッド２を面３１に設置することにより容器の本体３２に取り付けられる。設置パッド２は接触（タンパー）検知可能（ｅｖｉｄｅｎｔ）な２重側部の接着パッドにより形成されており、前記接着パッドはハウジング１が面３１に取り付けられることを可能にする。そのパッドは、もしハウジング１を面３１から取り外す試みがなされた場合に、該パッドの少なくとも一部分が面３１に残されて、その一方で対応する部分がハウジング１に取り付けられて残されており、それによりタグが取り外されたことを示すように設計されている。
【００５６】
これに加えて（又は代替案として選択可能に）、１回限りの固定具３が、容器本体３０を介して挿入されて、図示されるように設置板４に取り付けられており、それにより安全タグを所定位置に固定する。
【００５７】
安全タグを織物式バッグに取り付けた例が図７に示される。この例において織物式バッグ４０は、取り付け部材６を使用して安全タグに取り付けられる。取り付け部材６は、バッグ４０の首部の周囲を包んでおり、その後アーム６ａ，６ｂが台５に挿入される。アーム６ａと６ｂはその後、可能な限り深く溝７ａ，７ｂ内に引き込まれるので、従って安全タグの織物式バッグ４０からの取り外しを防止する。
【００５８】
次に、安全タグの作動について説明する。安全タグは以下の３つの異なるタイプの検知機構を具備する。
ｉ．　ハウジングの完全性をチェックするためのハウジングセンサシステム（装置）
ｉｉ．　容器への取り付けの完全性をチェックするための取り付けセンサ
ｉｉｉ．　品物を収容する容器の完全性をチェックするための品物センサ
これらの各々について以下で説明する。
【００５９】
ハウジングセンサ
ハウジングセンサシステムは、ハウジング１の完全性を検知するために使用される。これは、安全タグが接触（タンパー）されて内部の機能が破壊されることを防止するために実施される。
【００６０】
第１の例においてハウジングセンサシステムは、圧電性フィルム１３と、センサ２４の対応する１つとにより形成される。この場合においてセンサ２４は、例えばアンメータ（電流計）等の電流センサであり、それは圧電性フィルム１３内に生成される電流を検知するように適応される。
【００６１】
従ってもし薄膜層１０が、例えばハウジングを壊すか又は穴を開ける試みにより変形される場合に、これは圧電性フィルム１３の対応する変形を引き起こす。これはフィルム内の電流の発生を生じるが、それ（電流）はセンサ２４により検知可能である。
【００６２】
上記のようにセンサ２４は、プロセッサ２０に接続されており、プロセッサ２０はそれから得られた信号を監視して、これら（信号）はハウジングが接触（タンパー）されている表示であるかどうかを判定する。
【００６３】
従って一般的に、電流のある値は、通常のオペレーションにおいてセンサ２４により検知されるが、例えばそれはハウジング１が輸送中にぶつかった場合である。しかしもし、検知された電流が閾値を超えており、これは誰かがハウジング１を開けようと試みていることの指示である場合には、これはプロセッサ２０により検知されており、プロセッサ２０には信号がトランシーバ２１を介して伝送されている。
【００６４】
これとは別の例においてセンサ２４は、エラストマー（高分子弾性体）被覆１５の導電性を計測するように適応可能である。一般的にエラストマー被覆は、センサ２４で計測可能な導電性を有する。これは、例えば該被覆を横切る電位を適用して該被覆を通り流れる電流を計測するセンサを製作することにより実現可能である。タグ電気測定性（ｅｌｅｃｔｒｏｍｅｔｒｉｃ）被覆は、例えば黒鉛等の導電性化合物又は化合中にエラストマーに添加可能な微細顆粒により形成される化合物を含む。この被覆はその後、帯と同じ方法で監視可能である。この場合においてもし、エラストマー被覆１５が、例えばもし穴を開けられる等、干渉された場合には、これはその導電性を変化させ、その変化はプロセッサ２０により検知されるので、適切な応答が生成可能である。
【００６５】
取り付けセンサ
取り付けセンサは多数の方法の内のいずれか１つにより実施可能である。
第１の例において圧電性フィルム（図示されない）は、設置パッド２とハウジング１との間に挟まれる。従ってもし容器の面３１からハウジング１が取り外される試みがなされた場合には、これは圧電性フィルムを変形する。圧電性フィルムは順に、電流センサ２４により検知される電流を発生する。
【００６６】
再度、ある量の電流の発生は、例えば輸送中の動きが原因である等の、通常の使用において予想されるはずである。しかしもし、発生された電流が閾値を超える場合には、これはプロセッサ２０により検知されており、プロセッサ２０は安全タグが容器３０から取り外される試みが実施されたと判定する。
【００６７】
第２の例において、圧電性フィルムは容量性（キャパシタンスのある）フィルム（図示されない）により置換される。センサ２４は、ＲＦ（高周波）場を該フィルムに適応して該フィルムを通り流れる電流の応答を計測することにより、フィルムの容量を計測するように適応される。この場合において、容量（キャパシタンス）の任意の振動は、フィルムの特性が影響されたことを指摘しており、それは順に、ハウジング１の容器３０への接続部が接触（タンパー）されていることを指摘する。
【００６８】
同様な結果がまた、設置パッドの圧電性フィルムを導電性フィルム又は多数の微細なワイアのいずれかにより置換することにより実現可能である。各ケースにおいて、フィルム又はワイアの導電性は適切なセンサ２４により計測される。
【００６９】
第３の例において、センサ２４は１回限りの固定具３に接続される。この場合においてセンサ２４は、設置板４の電気特性を監視するように使用される。従って、システムは、１回限りの固定具を通り電流を流れさせて、従って設置ネジを通り流れさせて、設置板４の導電性を監視可能にするように作動可能である。
【００７０】
これは、容量とインピーダンスを要求されるように変化する能力を有する適切な末端を有する伝送ラインの部分を、１回限りの固定具３により形成することにより、実現されることが好ましい。一旦作動させられると、タグは、適切なセンサ２４を使用する伝送ラインの特性の任意における変化をタグが判定可能にする、可変インピーダンス及び容量の端末ネットワークを使用してＶＳＷＲ（電圧定在波比）を最小化する。
【００７１】
この例においてもし、１回限りの固定具３又は設置板４のいずれかが接触（タンパー）された場合には、導電性の変化はセンサ２４を使用して検知されて、再度これをプロセッサ２０に信号で知らせる。
【００７２】
最後に取り付け部材６は一般的に、導電性材料により形成される。従ってセンサ２４は、溝７ａ，７ｂに接続されて取り付け部材の導電性を検知する。もし導電性の変化が、前もって決められた閾値量に比べより大きい場合には、これはマイクロプロセッサ２０により検知され、マイクロプロセッサ２０は、取り付け部材が干渉されていると判定する。
再度取り付け部材６は、圧電性材料により形成可能であり、それ（圧電性材料）は適切なセンサ２４に接続される。
【００７３】
品物検知
品物が乱されたかを検知するための手段もまた提供可能である。安全タグが金属製容器（例えば図６に示されるような）に取り付けられる場合において、容器の導電性は、センサ２４の１つを使用して計測可能である。再度、導電性の変化は、容器が開けられていることを指示可能であり、その場合にこれはプロセッサ２０により検知される。
【００７４】
織物式バッグ４０（図７）の場合において、織物材料は織物内に相互に編み込まれる導電性ワイアを有することが出来る。この場合においてセンサ２４は、導電性取り付け部材６を介して織物材料に取り付け可能である。前記繊維の導電性はその後、計測可能であるので、もし繊維が品物をバッグ４０から引き抜く試みにおいて引き裂かれる場合に、これはセンサ２４により検知される。
【００７５】
その様な検知技術は、垂直方向に伸張する２式の独立したワイアを利用することにより改善可能である。各前記ワイアの導電性は、２つのセンサ２４を使用して個別に計測可能であり、単一の方向においてのみバッグに影響を与える変化を検知可能にする。
【００７６】
選択可能に、容器３０又はバッグ４０のいずれかに収容される品物は、それらに取り付けられた検知手段を有しても良い。これは、例えば調整された誘導回路の部分の形を具備可能である。調整された誘導回路の第１の部分は、センサ２４により構成されており、その一方で第２の部分は、容器内の品物に取り付けられた適当な電子部品により構成される。従って、調整された回路の２つの部分の近位は、センサ２４により検知されていてプロセッサ２０に中継される信号の強さに影響する。これにより、プロセッサがセンサ２４に対する品物の近位を判定して、それにより品物が安全タグからの前もって決められた距離に比べてより大きく移動させられたかを判定可能にする。
【００７７】
これとは別の選択として、圧電性フィルムが紙幣のバンド固縛された束の梱包フィルム４０（図８）に埋め込み可能である。バンド固縛は、紙幣（ノート）の長、短の角部の中央付近でそれぞれ伸張する２つの幅広い帯４１，４２により形成されるので、単一の紙幣はフィルムを変形しないで取り外すことは出来ず、それ（フィルム）は、フィルムに固定されたタグ４３の適切なセンサ２４により、上記のものと同様な方法で（図６）検知可能である。同様な導電性技術が、使用可能であり、安全タグは品物に適当にワイア止め可能である。
【００７８】
一般的なオペレーション
使用において安全タグは、価値のある品物に直接的に、あるいは保護されるべき物品を含む容器３０又はバッグ４０へのいずれかに、上記の方法で取り付けられる。
一旦これが完了されると、安全タグが取り付けられた品物の詳細は、ホスト２６又は別の入力デバイス（図示されない）から通信トランシーバ２１を介して安全タグのメモリ２２に供給される。これは、例えばＰＤＡ、ラップトップ、デスクトップ・コンピュータ等のコンピュータ装置、あるいはワップ（ＷＡＰ）電話等の移動可能な通信デバイスを、通信トランシーバの特性に依存して、使用して実現可能である。
【００７９】
特別には、もしトランシーバが、ブルートゥース ・ピコネット（Ｂｌｕｅｔｏｏｔｈ ｐｉｃｏｎｅｔ）、ブルートゥース可能なＰＤＡ、ワップ（ＷＡＰ）電話等である場合に、品物のリストを該トランシーバを介してメモリ２２に送るのに使用可能である。
それがセンサ２４の状態を監視するべきであることをプロセッサ２０に指示する作動信号を伝送することも可能である。
【００８０】
もし任意の時間において、一旦タグが作動させられて、センサ２４の任意の１つからの信号が予想範囲外にあるとプロセッサ２０が判定した場合に、プロセッサ２０は、品物に干渉する試みがなされたと判定する。従って、プロセッサ２０は、トランシーバ２１を介して、例えばホスト２６、又は警備会社、警察、銀行等であって金の輸送に責任がある、遠隔制御センタに伝送される警報信号を発生する。
警告信号は、遠隔制御センタにより検知されており、遠隔制御センタは品物が何らかの方法で接触（タンパー）されていると判定可能である。
【００８１】
これに加えて、安全タグはまた、追加の情報を送っても良く、その追加の情報は、例えば現在得られているセンサの読みの指示であり、それにより遠隔制御センタが安全タグに何が起こっているかを判定可能にする。
【００８２】
従って、安全タグは通常、位置センサ２４を具備しており、その位置センサ２４は安全タグの位置を判定可能である。これは通常、ＧＰＳ衛星航法（ナビゲーション）タイプのセンサの形を取っており、そのセンサは安全タグの位置をピンポイントで（正確に）指示可能であり、更にこの指示を任意の警報信号により遠隔制御センタに伝送可能である。これにより、干渉が発生した時間に、また他の時間においても同様に、遠隔制御センタが安全タグの位置を判定可能にする。
【００８３】
安全の追加的レベルとして、プロセッサ２０は、状況信号を遠隔ホストに定期的に送信して、各センサの現状の状態を確認するように適応可能である。これにより、遠隔制御センタが、安全タグの現在位置を含む、システムの完全性を注視するそれら自身の観察を実行可能にさせる。これとは別に、遠隔ホストは、システムをポーリング（調査）して、情報が必要に応じて伝達されることを要求可能である。
これに加えて、安全タグに関係する品物の詳細がメモリ２２に記憶されるので、これにより遠隔ホストは、関連する品物の価値を判定可能である。
【００８４】
追加的安全性として、プロセッサ２０からトランシーバ２１を介して遠隔ホスト２６への情報の伝達は、従来のＰＫＩシステムを使用して伝送する前に、データの暗号化を含むことが可能である。これにより、第三者が安全タグからの信号を傍受することを防止して、更にタグが実際に警報信号を送信する時に、タグは干渉されていないと指示する彼ら自身の信号を伝送することを防止する。
【００８５】
タグは識別及び伝送の両目的で証書（ｄｏｃｕｍｅｎｔｓ）を安全にするために使用可能であることが、このことから認識される。従って、本発明の追加の形態は、安全タグが、例えば現金等の証書の所有権を輸送するために使用可能であることである。
【００８６】
この場合において、一旦証書が安全にタグに接続されると、例えば適切な容器に設置し容器にタグを取り付けることにより、使用者は、通常の方法で品物の詳細をメモリ２２に入力可能である。所有者はまた、輸送（ｔｒａｎｓｆｅｒ）コードを入力可能であり、その輸送コードは容器内の証書（例えば、紙幣）の所有権を第三者に移動させる。
その様な輸送コードの入力において、プロセッサ２０は情報を遠隔制御センタへ伝送して、前記輸送が中央で登録されることを可能にする。この地点から、証書は被輸送者により効果的に所有される。
【００８７】
従って、証書は、知識においてそれらの物理的な位置に残すことが可能であり、その知識とは、被輸送者の安全タグを取り外す許可なしに、それら（証書）が接触（タンパー）されたり干渉されることが出来ないというものである。品物はその後、必要ならば、後日に異なる物理的位置に移動可能である。
【００８８】
従って例えば、小売店主は現金を銀行に預金することを望んでも良い。従って小売店主は、上記の技術を使用して、現金を適切なバッグに入れて、価値をメモリ２２に入力し、その後現金の所有権を銀行に移動する。現金は実際には、その位置が安全タグにより分かるので、店の構内に残すことが可能である。現金はその後、後日に物理的に銀行へ移動可能である。
【００８９】
これとは別に、もし現金が移動される前に、店が何らかの理由、例えば供給者に支払う等により現金を必要とする場合には、銀行が現金の所有権を店主に戻すために送ることが可能である。店主は、安全タグを正当に無効操作して、店の構内から出ることのなかった現金にアクセス出来る。しかしこれにも係わらず、現金は実際にある時間期間の間、店主の銀行の勘定に預金されており、店主は実際に構内に保持されていたこの現金を使用して取引することが出来る。
【図面の簡単な説明】
【図１】
図１は、本発明に従う安全タグの平面図である。
【図２】
図２は、図１の安全タグの側面図である。
【図３ａ】
図３ａは、線Ａ−Ａ’に沿う図１の安全タグの台の断面図である。
【図３ｂ】
図３ｂは、線Ｂ−Ｂ’に沿う図３ａの安全タグの台の断面図である。
【図４】
図４は、線Ｃ−Ｃ’に沿う安全タグの断面図である。
【図５】
図５は、図１の安全タグの内部の構成要素の系統図である。
【図６】
図６は、堅固な容器に取り付けられた図１の安全タグを示す図解図である。
【図７】
図７は、織物式容器に取り付けられた図１の安全タグの図解図である。
【図８】
図８は、安全タグに取り付けられた紙幣の包まれた束を示す。
【国際公開パンフレット】
2004515016.tif 000003
2004515016.tif 000004
2004515016.tif 000005
2004515016.tif 000006
2004515016.tif 000007
2004515016.tif 000008
2004515016.tif 000009
2004515016.tif 000010
2004515016.tif 000011
2004515016.tif 000012
2004515016.tif 000013
2004515016.tif 000014
2004515016.tif 000015
2004515016.tif 000016
2004515016.tif 000017
2004515016.tif 000018
2004515016.tif 000019
2004515016.tif 000020
2004515016.tif 000021
2004515016.tif 000022
2004515016.tif 000023
2004515016.tif 000024
2004515016.tif 000025
2004515016.tif 000026
2004515016.tif 000027
2004515016.tif 000028
2004515016.tif 000029
2004515016.tif 000030
2004515016.tif 000031
2004515016.tif 000032
2004515016.tif 000033
【国際調査報告】
2004515016.tif 000034
2004515016.tif 000035
2004515016.tif 000036